(57)【要約】【課題】  高さを異にするリブ等間隔形成体や底上げ体を別に用意することなく、簡単に収容箱の貯留量を調節することができ、他の遊技者に強い印象を与えることが可能となる遊技機用収容箱及び底板パーツを提供する。【解決手段】収容箱本体１０の収容部１１内で底壁部１２上に敷設される底板パーツ２０が厚みを段階的に変更可能であり、その底板パーツ２０の厚みを変更することで収容部１１における遊技媒体の貯留量を調節することができる。【選択図】  図２
2010088734.tif 000002
【特許請求の範囲】
【請求項１】
上面に開口を有しその開口から遊技媒体を貯留するために一体形成された周壁部と底壁部とを有する収容部と、その収容部の周壁部の開口縁から外側に延出された把持部とを備える収容箱本体と、
板状形態をなし、前記収容箱本体の収容部内で前記底壁部上に敷設されるとともに、前記収容部の遊技媒体の貯留量を調節するために厚みを段階的に変更可能な底板パーツと、を含み、
前記収容箱本体には、前記収容部の底壁部に複数の貫通孔が形成されており、
前記底板パーツは、それら貫通孔に対応して下面に複数の係止爪を突出形成し、それら係止爪を前記貫通孔に係止して前記底壁部上に着脱可能に固定されることを特徴とする遊技媒体収容箱。
【請求項２】
前記底板パーツは、複数の板部材によって形成されるものであって、前記底壁部上に直接固定されるベース板部材に対して、そのベース板部材上に着脱可能に積み重ねることが可能な調節板部材により厚みを段階的に変更する請求項１に記載の遊技媒体収容箱。
【請求項３】
前記ベース板部材及び調節板部材には、それぞれの下面側で下方に延設された底上げ部と、その底上げ部によって形成された底上げ空間に対応した所定位置で、貫通形成された係止孔と該底上げ空間を越えて突出形成された係止爪とを備え、
前記ベース板部材上に前記調節板部材を積み重ねる場合には、前記調節板部材の係止爪を、前記ベース板部材の前記底上げ空間内に収まる形で該ベース板部材の係止孔に係止することにより前記調節板部材を前記ベース板部材上に着脱可能に固定し、その調節板部材上に次の調節板部材を同様に固定して順次積み重ね、
前記底板パーツは、前記ベース板部材の係止爪を前記収容部の底壁部の貫通孔に係止して、該底壁部上に固定される請求項２に記載の遊技媒体収容箱。
【請求項４】
前記調節板部材の係止孔と係止爪とは、下面側から見てその下面上に設定された定点に関して点対称となる位置関係で複数対形成されている請求項３に記載の遊技媒体収容箱。
【請求項５】
前記収容部の底壁部には、該収容部に貯留された遊技媒体である遊技球に帯電する静電気をアースするためのアース用孔が設けられており、
前記ベース板部材には、前記底壁部上に固定されたときに前記アース用孔に遊技球を誘導する誘導部が形成されている請求項２ないし４のいずれか1項に記載の遊技媒体収容箱。
【請求項６】
上面に開口を有しその開口から遊技媒体を貯留するために一体形成された周壁部と底壁部とを有する収容部と、その収容部の周壁部の開口縁から外側に延出された把持部とを備える収容箱本体において、該収容部内で前記底壁部上に敷設される底板パーツであって、
板状形態をなし、前記収容部の遊技媒体の貯留量を調節するために厚みを段階的に変更可能とともに、前記収容箱本体の収容部の底壁部に貫通形成された複数の貫通孔に対応して下面に複数の係止爪を突出形成し、それら係止爪を該貫通孔に係止して前記底壁部上に着脱可能に固定されることを特徴とする底板パーツ。
【請求項７】
複数の板部材によって形成されるものであって、前記底壁部上に直接固定されるベース板部材に対して、そのベース部材上に着脱可能に積み重ねることが可能な調節板部材により厚みを段階的に変更する請求項６に記載の底板パーツ。
【発明の詳細な説明】
【技術分野】
【０００１】
本発明は、遊技媒体収容箱及び底板パーツに関する。
【背景技術】
【０００２】
一般に、パチンコ機やパチスロ機などの遊技機における遊技球やメダルなどの遊技媒体を収容する遊技媒体収容箱において、上面に開口を有しその開口から遊技媒体が貯留される収容部と、その収容部の上縁部から外側に延出する両側の把持部とを一体的に備えた収容箱が知られている。
【０００３】
通常、パチンコ遊技場において、遊技者は遊技媒体収容箱が遊技球等で満杯になると、遊技者自身の足元の床にその遊技媒体収容箱を置くことが多い。そして他の遊技者はその床に置かれた遊技媒体収容箱（出玉状況）を一つの目安として、その店舗状況を把握して自分が実際に遊技するか否かを判断する場合がある。すなわち、店舗側にとっては、より多くの集客を望むため、他の遊技者に強い印象を与える必要があり、そのような効果を具備する遊技媒体収容箱が望まれている。
【０００４】
ところで、例えば、パチンコ機においては、機種ごとに設定された基本仕様に応じて１回の大当たりにおける最大出玉が異なっており、その最大出玉が少ない機種においては１回の大当たりで遊技媒体収容箱が遊技球で満杯にならない場合もあり、遊技者の足元の床に置かれる遊技媒体収容箱が大当たりの回数の割に少なくなってしまい、店舗側として他の遊技者への注目度が低下する恐れがある。そこで、店舗側の採りうる方法の一つとして、遊技球等で満杯になった遊技媒体収容箱をより多く遊技者自身の足元の床に置いてもらうために、遊技媒体収容箱の貯留量（収容個数，枚数）を調節することがある。
【０００５】
例えば、遊技媒体を収容部に貯留する際に遊技媒体が底壁部に衝突して発生する音や衝撃を緩和するための平板状シートに色々の宣伝広告を施すとともに、底壁部上にリブ等間隔形成体を構成して空隙を設け、そのリブ等間隔形成体上に平板状シートを敷設する。これにより、遊技媒体の落下による衝撃音を吸収して軽減するとともに、リブ等間隔形成体の高さを変えることで底壁部から底上げして収容部における遊技媒体の貯留量（収容個数，枚数）を減らし得るようにしたものがある（特許文献１参照）。
【特許文献１】特開２００１−１３７５２９号公報
【０００６】
また、特許文献１には、収容箱に遊技球を収容する個数を変えるよう高さ等を異にする底上げ体を別に用意し、店舗側が随意に収容箱に貯留する遊技球の個数を変えることができるよう、収容箱の底壁部に所望の高さの底上げ体を着脱可能に固定することができる遊技媒体収容箱についても記載されている。
【０００７】
しかしながら、特許文献１では、高さを異にするリブ等間隔形成体や底上げ体を取り替えることにより収容箱の貯留量を調節（変更）することができることで当初の目的は達成しているものの、使用していない高さのリブ等間隔形成体や底上げ体については店舗側が在庫として抱えなければならず無駄を招来し、コスト高の要因となってしまう。
【発明の開示】
【発明が解決しようとする課題】
【０００８】
本発明は上記実情に鑑みなされたものであり、高さを異にするリブ等間隔形成体や底上げ体を別に用意することなく、簡単に収容箱の貯留量を調節することができ、他の遊技者に強い印象を与えることが可能となる遊技媒体収容箱及び底板パーツを提供することにある。
【課題を解決するための手段】
【０００９】
上記課題を解決するために、本発明の遊技媒体収容箱は、
上面に開口を有しその開口から遊技媒体を貯留するために一体形成された周壁部と底壁部とを有する収容部と、その収容部の周壁部の開口縁から外側に延出された把持部とを備える収容箱本体と、
板状形態をなし、収容箱本体の収容部内で底壁部上に敷設されるとともに、収容部の遊技媒体の貯留量を調節するために厚みを段階的に変更可能な底板パーツと、を含み、
収容箱本体には、収容部の底壁部に複数の貫通孔が形成されており、
底板パーツは、それら貫通孔に対応して下面に複数の係止爪を突出形成し、それら係止爪を貫通孔に係止して底壁部上に着脱可能に固定されることを特徴とする。
【００１０】
上記課題を解決するために、本発明の遊技媒体収容箱における底板パーツは、
上面に開口を有しその開口から遊技媒体を貯留するために一体形成された周壁部と底壁部とを有する収容部と、その収容部の周壁部の開口縁から外側に延出された把持部とを備える収容箱本体において、該収容部内で底壁部上に敷設される底板パーツであって、
板状形態をなし、収容部の遊技媒体の貯留量を調節するために厚みを段階的に変更可能とともに、収容箱本体の収容部の底壁部に貫通形成された複数の貫通孔に対応して下面に複数の係止爪を突出形成し、それら係止爪を該貫通孔に係止して底壁部上に着脱可能に固定されることを特徴とする。
【発明の効果】
【００１１】
上記本発明の遊技媒体収容箱及びその遊技媒体収容箱における底板パーツによれば、収容箱本体の収容部内で底壁部上に敷設される底板パーツが厚みを段階的に変更可能であり、その底板パーツの厚みを変更することで収容部における遊技媒体の貯留量を調節することができる。したがって、高さを異にするリブ等間隔形成体や底上げ体をそれぞれ別に用意することなく、収容箱の貯留量を簡単に調節することができる。ひいては、パチンコ遊技場などの店舗側が遊技媒体収容箱の貯留量（収容個数，枚数）を調節することができるので、遊技者に対して遊技球等で満杯になった遊技媒体収容箱をより多く遊技者自身の足元の床に置いてもらうことが可能となり、他の遊技者に強い印象を与えることが可能となる。
【００１２】
ここで、底板パーツの具体的な態様として、底板パーツは、複数の板部材によって形成されるものであって、底壁部上に直接固定されるベース板部材に対して、そのベース板部材上に着脱可能に積み重ねることが可能な調節板部材により厚みを段階的に変更する構成とすることができる。これによれば、底板パーツは、ベース板部材に対して積み重ねる調節板部材の枚数によって厚みが変更されるので、底板パーツの厚み調節を簡単に実施することができる。また、最上層の調節板部材が仮に遊技媒体の衝突などで消耗や破損した場合にも、その最上層の調節板部材を取り替えることで問題を解決し、コスト低減を図ることができる。さらに、収容箱本体に対して底板パーツの厚みを変更するにあたり、店舗側が抱える在庫としては調節板部材だけでよく、無駄を省きコスト高となるのを抑制することができる。
【００１３】
また、底板パーツにおけるベース板部材及び調節板部材には、それぞれの下面側で下方に延設された底上げ部と、その底上げ部によって形成された底上げ空間に対応した所定位置で、貫通形成された係止孔と該底上げ空間を越えて突出形成された係止爪とを備え、
ベース板部材上に調節板部材を積み重ねる場合には、調節板部材の係止爪を、ベース板部材の底上げ空間内に収まる形で該ベース板部材の係止孔に係止することにより調節板部材をベース板部材上に着脱可能に固定し、その調節板部材上に次の調節板部材を同様に固定して順次積み重ね、
底板パーツは、ベース板部材の係止爪を収容部の底壁部の貫通孔に係止して、該底壁部上に固定する構成とすることができる。
【００１４】
これによれば、ベース板部材及び調節板部材に底上げ部が形成されているので、上側となる調節板部材の係止爪が下側となるベース板部材又は調節板部材の底上げ空間によって係止孔を介して係止可能となり、調節板部材を１枚ずつ確実に安定して積み重ねることができる。
【００１５】
また、調節板部材の係止孔と係止爪とは、下面側から見てその下面上に設定された定点に関して点対称となる位置関係で複数対形成する構成とすることができる。これによれば、調節板部材において、下面側から見てその下面上に設定された定点に関して点対称となる位置関係で係止孔と係止爪との対が形成されているので、下側となる調節板部材に対して上側となる調節板部材を上記定点を中心として１８０度回転させることにより、下側の調節板部材の係止孔に上側の調節板部材の係止爪が重合する位置となり、同じ調節板部材を用いて積み重ねることができる。したがって、製造コストの低減に寄与することができる。
【００１６】
また、収容部の底壁部には、該収容部に貯留された遊技媒体である遊技球に帯電する静電気をアースするためのアース用孔が設けられており、
ベース板部材には、底壁部上に固定されたときにアース用孔に遊技球を誘導する誘導部を形成する構成とすることができる。これによれば、底壁部上に底板パーツを敷設した場合にも、ベース板部材の誘導部によって底壁部に形成されたアース用孔に遊技球を誘導することができ、収容部に貯留された遊技球に帯電する静電気を問題なくアースすることができる。
【発明を実施するための最良の形態】
【００１７】
以下、本発明の実施形態を図面を参照して説明する。図１は本発明の実施形態に係る遊技媒体収容箱の一例を示す斜視図及び平面図、図２は図１（ｂ）におけるＡ−Ａ断面図及びＢ−Ｂ断面図、図３は図１（ｂ）におけるＣ−Ｃ断面拡大図及びＤ−Ｄ断面拡大図、図４は収容箱本体の上から見た斜視図及び下から見た斜視図、図５は図２（ａ）及び図３（ａ）に対応する収容箱本体の断面図、図６はベース板部材の上から見た斜視図及び下から見た斜視図、図７はベース板部材の平面図及び底面図、図８は調節板部材の上から見た斜視図及び下から見た斜視図、図９は調節板部材の平面図及び底面図である。なお、本実施形態において箱状の部材は、開口側を上側とし、その逆を下側とする。
【００１８】
図１乃至図３に示すように、本実施形態に係る遊技媒体収容箱１は、箱状形態をなす収容箱本体１０と、その収容箱本体１０内に敷設される底板パーツ２０とを備えており、パチンコ機やパチスロ機等の遊技機における遊技球やメダルなどの遊技媒体を貯留するために用いられる。なお、以下の説明ではパチンコ球（遊技球）を貯留する場合について述べることとする。
【００１９】
まず、収容箱本体１について詳しく説明する。収容箱本体１は、図４及び図５に示すように、上面に開口を有しその開口から遊技球が貯留（収容）される収容部１１と、その収容部１１の周壁部１３の上縁から外側に延出する両側の把持部１４，１４と、収容部１１の底壁部１２で収容部１１を支持する脚部１５とを一体的に備えている。なお、収容箱本体１０の材質としては、透明、半透明或いは不透明のＰＣ（ポリカーボネート）、ＡＢＳ樹脂（アクリロニトリル・スチレン）、ＰＥＴ樹脂（ポリエチレンテレフタレート）、ＡＳ（アクリロニトリル・スチレン）、ＰＳ（ポリスチレン）などを使用することができ、強度や耐衝撃性がある合成樹脂材料を使用して一体的に成形されている。
【００２０】
収容部１１は、矩形状をなす底壁部１２とその底壁部１２の周縁から上側に立ち上がる周壁部１３とを備えて上面に開口を有する形で形成されている。その周壁部１３は、底壁部１２の長手方向に沿って形成される第１周壁部１３ａ，１３ａと幅方向（前後方向）に沿って形成される第２周壁部１３ｂ，１３ｂとで構成されている（以下、まとめて周壁部１３ともいう）。また、周壁部１３の開口縁内側には、環状内溝１６が形成されており、球零れ防止の役目を担う。また、底壁部１２の周縁には、周壁部１３が下側に延出される形でスカート部１７が形成されている。
【００２１】
底壁部１２は、複数（例えば、４つ）の貫通孔１８を貫通形成しており、その貫通孔１８は、底板パーツ２０を固定するために形成されている。したがって、底板パーツ２０には、それら貫通孔１８に対応して下面に複数の係止爪３５が突出形成され、それら係止爪３５を貫通孔１８に係止して底壁部１２上に着脱可能に固定される（図２，図３参照）。また、底壁部１２には、収容部１１に貯留された遊技球に帯電する静電気をアースするためのアース用孔１２ａが設けられており、そのアース用孔１２ａとして所定の脚部１５が利用されている（図５（ａ）参照）。
【００２２】
次に、底板パーツ２０について詳しく説明する。図１乃至図３に戻り、底板パーツ２０は、板状形態をなし、収容箱本体１０の収容部１１内で底壁部１２上に敷設されるとともに、厚みを段階的に変更可能となっている。したがって、底壁部１２上に敷設された底板パーツ２０の厚みを変更することで、収容部１１における深さ（開口から底壁までの距離）を変更して遊技球の貯留量を調節することが可能となる。
【００２３】
具体的には、底板パーツ２０は、図２及び図３に示すように、複数の板部材によって形成されるものであって、底壁部１２上に直接固定されるベース板部材３０と、そのベース板部材３０に対して着脱可能に積み重ねることが可能な調節板部材４０とによって形成されている。なお、本実施形態においては、１枚のベース板部材３０と２枚の調節板部材４０が積み重ねられた計３枚の板部材で形成された底板パーツ２０が収容部１１内の底壁部１２上に敷設されている。なお、ベース板部材３０及び調節板部材４０の材質としては、透明、半透明或いは不透明のＰＰ（ポリプロピレン）、ＰＥ（ポリエチレン）などを使用することができ、遊技球が衝突して発生する音や衝撃を緩和することができる強度、耐衝撃性に優れた合成樹脂材料を使用してそれぞれ一体的に成型されている。
【００２４】
ベース板部材３０は、図６及び図７に示すように、本体板部３１と、その本体板部３１の下面側で下方に延設された底上げ部３２と、その底上げ部３２によって形成された底上げ空間３３に対応した所定位置で、本体板部３１に貫通形成された係止孔３４と、本体板部３１の下面から底上げ空間３３を越えて突出形成（底上げ部３２の下端よりも突出して形成）された係止爪３５とを備えている。また、ベース板部材３０は、収容箱本体１０の収容部１１における底壁部１２に形成されたアース用孔１２ａを露出する切欠部３６が本体板部３１に形成され、この切欠部３６には、本体板部３１の上面側から下面側に向けて下る傾斜面を有して、アース用孔１２ａに遊技球を誘導する誘導部３６ａが設けられている。
【００２５】
底上げ部３２は、本体板部３１の下面側で長手方向に沿って中央に１本、幅方向に沿って所定間隔隔てて２本、並びに周縁に沿って設けられ、底上げ空間３３を区画する形で形成している。これにより、底上げ部３２は、本体板部３１を補強する補強リブとして形成することができる。
【００２６】
調節板部材４０は、図８及び図９に示すように、本体板部４１と、その本体板部４１の下面側で下方に延設された底上げ部４２と、その底上げ部４２によって形成された底上げ空間４３に対応した所定位置で、本体板部４１に貫通形成された係止孔４４と、本体板部４１の下面から底上げ空間４３を越えて突出形成（底上げ部４２の下端よりも突出して形成）された係止爪４５とを備えている。また、調節板部材４０は、ベース板部材３０の誘導部３６ａ及び収容箱本体１０の収容部１１における底壁部１２に形成されたアース用孔１２ａを露出するための切欠部４６を備えている。
【００２７】
底上げ部４２は、ベース板部材３０の底上げ部３２と同様に、本体板部４１の下面側で長手方向に沿って中央に１本、幅方向に沿って所定間隔隔てて２本、並びに周縁に沿って設けられ、底上げ空間４３を区画する形で形成している。これにより、底上げ部４２は、本体板部４１を補強する補強リブとして形成することができる。
【００２８】
そして、ベース板部材３０及び調節板部材４０の底上げ部３２，４２はそれぞれ周縁に沿って形成されているので、後述するごとく底板パーツ２０としてベース板部材３０に調節板部材４０を積み重ねたとき及び調節板部材４０に他の調節板部材４０を積み重ねたときに、下側の板部材の係止孔３４，４４に係止される上側の板部材（調節板部材４０）の係止爪４５を底上げ空間３３，４４内に収容して覆い隠すことができ、外観上恰も一枚の板部材であるかのように隙間無く形成することができる。ひいては、遊技者などによっていたずらに板部材を引き剥がされたりするのを防止及び抑制することができる。
【００２９】
ここで、ベース板部材及び調節板部材の変形例について説明する。図１０は変形例に係るベース板部材及び調節板部材の一例を示す斜視図である。図１０に示すように、変形例に係るベース板部材３０Ａ及び調節板部材４０Ａは、本体板部３１，４１の下面側で円筒形状の底上げ部３２，４２が所定間隔を有して配列（例えば、６個）されている。これにより、収容箱本体１０の収容部１１内に遊技球を貯留した場合にも、安定して支持することができる。
【００３０】
続いて、収容部１１の底壁部１２の貫通孔１８、並びにベース板部材３０及び調節板部材４０における係止孔３４，４４及び係止爪３５，４５の位置関係について説明する。まず、底壁部１２の貫通孔１８は、図４（ｂ）に示すように、都合４つ設けられており、底壁部１２の四隅近傍に配置されている。そして、底壁部１２上に直接固定されるベース板部材３０の係止爪３５は、図６（ｂ）及び図７（ｂ）に示すように、貫通孔１８に対応して都合４つ設けられており、本体板部３１の四隅近傍に配置されている。なお、貫通孔１８及び係止爪３５は、底壁部１２及び本体板部３１のそれぞれにおいて、対角配置された貫通孔１８及び係止爪３５が、それらを結ぶ２直線の交点を中心として点対称となるように配置されることが好ましい。例えば、図７（ｂ）に示すように、ベース板部材３０において、対角配置された係止爪３５を結ぶ２直線の交点Ｏ１を中心として点対称となるように配置されている。なお、本実施形態において係止爪３５は、Ｄ１＝Ｄ２となるように配置されている。これによれば、ベース板部材３０を底壁部１２に敷設する所定向きに対して反転した向きでも取り付けることが可能となり、誤組の問題もなく組み付け性を向上させることができる。
【００３１】
続いて、ベース板部材３０の係止孔３４は、図６及び図７に示すように、都合４つ設けられており、長手方向の両端部における幅方向中央寄りにそれぞれ２つずつ配置されている。これに対し、調節板部材４０の係止爪４５は、図８（ｂ）及び図９（ｂ）に示すように、ベース板部材３０の係止孔３４に対応して都合４つ設けられており、長手方向の両端部における幅方向中央寄りにそれぞれ２つずつ配置されている。これにより、ベース板部材３０の係止孔３４に調節板部材４０の係止爪４５を係止させることで、ベース板部材３０上に調節板部材４０を着脱可能に固定することができる（図２及び図３参照）。
【００３２】
そして、調節板部材４０の係止孔４４は、図８及び図９に示すように、都合４つ設けられており、本体板部４１を下面側から見てその下面上に設定された定点Ｏ２に関して自身に形成された係止爪４５と点対称（ｄ１＝ｄ２，ｄ３＝ｄ４）となる位置関係で形成されている。
【００３３】
したがって、図２及び図３に示すように、ベース板部材３０上に調節板部材４０を積み重ねる場合には、まず、調節板部材４０をベース板部材３０上に着脱可能に固定する。具体的には、調節板部材４０の係止爪４５を、ベース板部材３０の底上げ空間３３内に収まる形でベース板部材３０の係止孔３４に係止する。そして、その調節板部材４０の上に次の調節板部材４０を同様に固定して順次積み重ねられる。すなわち、下側に位置する板部材の本体板部３１，４１と上側に位置する板部材の本体板部４１とが、上側の板部材の底上げ部４２（底上げ空間４３）によって離間した状態で積み重ねられるので、係止爪４５の影響を受けずガタツキを防止して、調節板部材４０を隙間無く安定して積み重ねることができる。そして、底板パーツ２０は、ベース板部材３０の係止爪３５を収容部１１の底壁部１２の貫通孔１８に係止することで、底壁部１２上に固定される。
【００３４】
ここで、ベース板部材３０の係止爪３５は、調節板部材４０の係止爪４５と異なる位置関係で形成されている。これによれば、ベース板部材３０には、底壁部１２のアース用孔１２ａに遊技球を誘導する誘導部３６ａが形成されているので、底壁部１２の貫通孔１８に対して調節板部材４０の係止爪４５を係止不可として誤組を防止し、底板パーツ２０を底壁部１２上に敷設した場合にも収容部１１に貯留した遊技球に帯電する静電気を問題なくアースすることができる。
【００３５】
なお、ベース板部材３０と調節板部材４０とを一つの板部材として形成することも可能である。その場合には、誘導部に対応した形態で他部材を用意して切欠部に配置する構成とすれば問題なく遊技球に帯電する静電気をアースすることができる。また、本実施例においては、ベース板部材３０に対して調節板部材４０の厚み（高さ）を小さく（低く）設定しており、底板パーツ２０を細かく厚みを段階的に変更することができるようになっている。また、これら板部材の厚みを遊技球の高さ（直径）に対応させることで、底壁部１２の面積に対応する遊技球の個数ごとに収容部１１の貯留量を調節することができるので、遊技球の貯留量を把握し易くなる。
【００３６】
本発明は、上記実施例に限定されるものではなく、特許請求の範囲の趣旨を逸脱しない限りにおいて、目的、用途に応じて当業者の知識に基づく種々の変更が可能である。
【図面の簡単な説明】
【００３７】
【図１】本発明の実施形態に係る遊技媒体収容箱の一例を示す斜視図及び平面図。
【図２】図１（ｂ）におけるＡ−Ａ断面図及びＢ−Ｂ断面図。
【図３】図１（ｂ）におけるＣ−Ｃ断面拡大図及びＤ−Ｄ断面拡大図。
【図４】収容箱本体の上から見た斜視図及び下から見た斜視図。
【図５】図２（ａ）及び図３（ａ）に対応する収容箱本体の断面図。
【図６】ベース板部材の上から見た斜視図及び下から見た斜視図。
【図７】ベース板部材の平面図及び底面図。
【図８】調節板部材の上から見た斜視図及び下から見た斜視図。
【図９】調節板部材の平面図及び底面図。
【図１０】変形例に係るベース板部材及び調節板部材の一例を示す斜視図。
【符号の説明】
【００３８】
１  遊技媒体収容箱
１０  収容箱本体
１１  収容部
１２  底壁部
１３  周壁部
１４  把持部
１５  脚部
１６  環状内溝
１７  スカート部
１８  貫通孔
２０  底板パーツ
３０  ベース板部材
３１，４１  本体部
３２，４２  底上げ部
３３，４３  底上げ空間
３４，４４  係止孔
３５，４５  係止爪
３６  切欠部
３６ａ  誘導面
４０  調節板部材
４６  切欠部
Ｏ１，Ｏ２  定点
【図１】
2010088734.tif 000003
【図２】
2010088734.tif 000004
【図３】
2010088734.tif 000005
【図４】
2010088734.tif 000006
【図５】
2010088734.tif 000007
【図６】
2010088734.tif 000008
【図７】
2010088734.tif 000009
【図８】
2010088734.tif 000010
【図９】
2010088734.tif 000011
【図１０】
2010088734.tif 000012
【手続補正書】
【提出日】平成22年1月14日(2010.1.14)
【手続補正１】
【補正対象書類名】特許請求の範囲
【補正対象項目名】全文
【補正方法】変更
【補正の内容】
【特許請求の範囲】
【請求項１】
上面に開口を有しその開口から遊技媒体を貯留するために一体形成された周壁部と底壁部とを有する収容部と、その収容部の周壁部の開口縁から外側に延出された把持部とを備える収容箱本体と、
板状形態をなし、前記収容箱本体の収容部内で前記底壁部上に敷設されて該収容部の底壁を形成するとともに、前記収容部の遊技媒体の貯留量を調節するために、複数の板部材によって形成されるものであって、前記底壁部上に直接固定されるベース板部材と、そのベース板部材に対して着脱可能に積み重ねることが可能な調節板部材とによって形成されて厚みを段階的に変更可能とし、前記収容部の開口から底壁までの距離である深さを段階的に変更可能な底板パーツと、を含み、
前記収容箱本体には、前記収容部の底壁部に複数の貫通孔が形成されており、
前記ベース板部材及び調節板部材は、最上層のときに前記収容部の底壁を形成する本体板部と、それぞれの本体板部の下面側で下方に延設された底上げ部と、その底上げ部によって形成された底上げ空間に対応した所定位置で、前記本体板部に貫通形成された係止孔と、前記本体板部の下面から該底上げ空間を越えて突出形成された係止爪とを備え、
前記底上げ部は、少なくとも前記本体板部の周縁に沿って形成されており、
前記ベース板部材上に前記調節板部材を積み重ねる場合には、前記調節板部材の係止爪を、前記ベース板部材の前記底上げ空間内に前記底上げ部に覆い隠された状態で収まる形で該ベース板部材の係止孔に係止することにより前記調節板部材を前記ベース板部材上に着脱可能に固定し、その調節板部材上に次の同形状をなす調節板部材を同様に固定して順次積み重ね、
前記底板パーツは、前記ベース板部材の係止爪を前記収容部の底壁部の貫通孔に係止して該底壁部上に着脱可能に固定されることを特徴とする遊技媒体収容箱。
【請求項２】
前記調節板部材の係止孔と係止爪とは、下面側から見てその下面上に設定された定点に関して点対称となる位置関係で複数対形成されている請求項１に記載の遊技媒体収容箱。
【請求項３】
前記収容部の底壁部には、該収容部に貯留された遊技媒体である遊技球に帯電する静電気をアースするためのアース用孔が設けられており、
前記ベース板部材には、前記底壁部上に固定されたときに前記アース用孔に遊技球を誘導する誘導部が形成されている請求項１又は２に記載の遊技媒体収容箱。
【請求項４】
上面に開口を有しその開口から遊技媒体を貯留するために一体形成された周壁部と底壁部とを有する収容部と、その収容部の周壁部の開口縁から外側に延出された把持部とを備える収容箱本体において、該収容部内で前記底壁部上に敷設されて該収容部の底壁を形成する底板パーツであって、
板状形態をなし、前記収容部の遊技媒体の貯留量を調節するために、複数の板部材によって形成されるものであって、前記底壁部上に直接固定されるベース板部材と、そのベース板部材に対して着脱可能に積み重ねることが可能な調節板部材とによって形成されて厚みを段階的に変更可能とし、前記収容部の開口から底壁までの距離である深さを段階的に変更可能とともに、
前記ベース板部材及び調節板部材は、最上層のときに前記収容部の底壁を形成する本体板部と、それぞれの本体板部の下面側で下方に延設された底上げ部と、その底上げ部によって形成された底上げ空間に対応した所定位置で、前記本体板部に貫通形成された係止孔と、前記本体板部の下面から該底上げ空間を越えて突出形成された係止爪とを備え、
前記底上げ部は、少なくとも前記本体板部の周縁に沿って形成されており、
前記ベース板部材上に前記調節板部材を積み重ねる場合には、前記調節板部材の係止爪を、前記ベース板部材の前記底上げ空間内に前記底上げ部に覆い隠された状態で収まる形で該ベース板部材の係止孔に係止することにより前記調節板部材を前記ベース板部材上に着脱可能に固定し、その調節板部材上に次の同形状をなす調節板部材を同様に固定して順次積み重ね、
前記ベース板部材の係止爪を前記収容箱本体の収容部の底壁部に貫通形成された複数の貫通孔に係止して前記底壁部上に着脱可能に固定されることを特徴とする底板パーツ。
【手続補正２】
【補正対象書類名】明細書
【補正対象項目名】０００９
【補正方法】変更
【補正の内容】
【０００９】
上記課題を解決するために、本発明の遊技媒体収容箱は、
上面に開口を有しその開口から遊技媒体を貯留するために一体形成された周壁部と底壁部とを有する収容部と、その収容部の周壁部の開口縁から外側に延出された把持部とを備える収容箱本体と、
板状形態をなし、収容箱本体の収容部内で底壁部上に敷設されて該収容部の底壁を形成するとともに、収容部の遊技媒体の貯留量を調節するために、複数の板部材によって形成されるものであって、底壁部上に直接固定されるベース板部材と、そのベース板部材に対して着脱可能に積み重ねることが可能な調節板部材とによって形成されて厚みを段階的に変更可能とし、収容部の開口から底壁までの距離である深さを段階的に変更可能な底板パーツと、を含み、
収容箱本体には、収容部の底壁部に複数の貫通孔が形成されており、
ベース板部材及び調節板部材は、最上層のときに収容部の底壁を形成する本体板部と、それぞれの本体板部の下面側で下方に延設された底上げ部と、その底上げ部によって形成された底上げ空間に対応した所定位置で、本体板部に貫通形成された係止孔と、本体板部の下面から該底上げ空間を越えて突出形成された係止爪とを備え、
底上げ部は、少なくとも本体板部の周縁に沿って形成されており、
ベース板部材上に調節板部材を積み重ねる場合には、調節板部材の係止爪を、ベース板部材の底上げ空間内に底上げ部に覆い隠された状態で収まる形で該ベース板部材の係止孔に係止することにより調節板部材をベース板部材上に着脱可能に固定し、その調節板部材上に次の同形状をなす調節板部材を同様に固定して順次積み重ね、
底板パーツは、ベース板部材の係止爪を収容部の底壁部の貫通孔に係止して該底壁部上に着脱可能に固定されることを特徴とする。
【手続補正３】
【補正対象書類名】明細書
【補正対象項目名】００１０
【補正方法】変更
【補正の内容】
【００１０】
上記課題を解決するために、本発明の底板パーツは、
上面に開口を有しその開口から遊技媒体を貯留するために一体形成された周壁部と底壁部とを有する収容部と、その収容部の周壁部の開口縁から外側に延出された把持部とを備える収容箱本体において、該収容部内で底壁部上に敷設されて該収容部の底壁を形成する底板パーツであって、
板状形態をなし、収容部の遊技媒体の貯留量を調節するために、複数の板部材によって形成されるものであって、底壁部上に直接固定されるベース板部材と、そのベース板部材に対して着脱可能に積み重ねることが可能な調節板部材とによって形成されて厚みを段階的に変更可能とし、収容部の開口から底壁までの距離である深さを段階的に変更可能とともに、
ベース板部材及び調節板部材は、最上層のときに収容部の底壁を形成する本体板部と、それぞれの本体板部の下面側で下方に延設された底上げ部と、その底上げ部によって形成された底上げ空間に対応した所定位置で、本体板部に貫通形成された係止孔と、本体板部の下面から該底上げ空間を越えて突出形成された係止爪とを備え、
底上げ部は、少なくとも本体板部の周縁に沿って形成されており、
ベース板部材上に調節板部材を積み重ねる場合には、調節板部材の係止爪を、ベース板部材の底上げ空間内に底上げ部に覆い隠された状態で収まる形で該ベース板部材の係止孔に係止することにより調節板部材をベース板部材上に着脱可能に固定し、その調節板部材上に次の同形状をなす調節板部材を同様に固定して順次積み重ね、
ベース板部材の係止爪を収容箱本体の収容部の底壁部に貫通形成された複数の貫通孔に係止して底壁部上に着脱可能に固定されることを特徴とする。